(57)【要約】      （修正有）【課題】ラッチ部とかんぬき部を１部材で構成したコンパクトで、製造コスト安のラッチ錠の提供。【解決手段】箱状の錠ケース２と、ラッチ３と、ラッチスプリング４と、ガイド部材５と、ロックハブ６ならびにロックスプリング７を備え、ラッチは前端の平面視で両面傾斜の山形状のラッチ部３ａ、棒状のかんぬき部３ｂ、連係支持部３ｃ、当接部３ｅを形成してなり、ラッチスプリングはラッチのかんぬき部とガイド部材の支持板部間に介在され、ラッチ部が錠ケースの前面から突出、没入自在に弾支されている。施錠状態を保持するにはロックハブの回動軸を回動することによりガイド部材が前方に移動し、ラッチが前方に移動してかんぬき部が錠ケースより前方に突出して受座の中に納まる。解錠状態を保持するにはロックハブの回動軸を逆方向に回動することによりガイド部材が後方に移動し、ラッチが後方に移動してかんぬき部が受座から脱出する。【選択図】図２
2011058343.tif 000002
【特許請求の範囲】
【請求項１】
箱状の錠ケースと、該ケースの前方にとりつけられるラッチと、該ラッチの後方にとりつけられるラッチスプリングと、上記ラッチ及び該ラッチスプリングの後方にとりつけられるガイド部材と、該ガイド部材に並設してとりつけられるロックハブならびにロックスプリングを備えており、上記ラッチは前端に平面視で両面傾斜の山形状のラッチ部を、該ラッチ部の後方に棒状のかんぬき部を、該かんぬき部の後方に連係支持部を、該連係支持部の後端に当接部を形成してなり、上記ガイド部材は主板部と該主板部の前方に支持板部を折曲形成し、該支持板部に嵌合孔を形成してなり、さらに上記ラッチスプリングはラッチのかんぬき部とガイド部材の支持板部間に介在され、上記ラッチの連係支持部がガイド部材の支持板部の嵌合孔に係止するとともに、連係支持部の後端の当接部が支持板部の後面に当接状態で支持されており、よってラッチはラッチ部が錠ケースの前面から突出、没入自在に弾支されており、上記ロックハブは回動軸と、該回動軸の所定の周縁に形成される駆動係合部およびロックスプリングの係合部とを形成してなり、かつ該ロックハブはロックスプリングによって付勢されて回動するように形成されており、ロックハブの回動によって主板部の係合部に駆動係合部が係合してガイド部材を前後に移動するように構成されており、施錠状態を保持するにはロックハブの回動軸を回動することによって駆動係合部が回動して、これに係合しているガイド部材が前方に移動し、同時にラッチが前方に移動してかんぬき部が錠ケースより前方に突出して受座の中に納まるように構成されており、解錠状態を保持するにはロックハブの回動軸を逆方向に回動することによって駆動係合部が逆の方向に回動してガイド部材が後方に移動し、同時にラッチが後方に移動してかんぬき部が受座から脱出して錠ケースに納まるように構成されていることを特徴とするラッチ錠。
【請求項２】
ロックハブは回動軸の一方側にサムターンを取り付け、他方側にエマージエンシーを取り付けていることを特徴とする請求項１記載のラッチ錠。
【請求項３】
ロックハブの回動軸の一方側にサムターンを取り付け、他方側にキー操作によるロック機構を取り付けていることを特徴とする請求項１記載のラッチ錠。
【発明の詳細な説明】
【技術分野】
【０００１】本発明はラッチ錠の改良に関する。
【背景技術】
【０００２】従来ラッチ錠は公知である。その構成はドアの前面（受座対向面）に平面視で片面傾斜のラッチ（ラッチ部）が突出、没入自在に弾支されており、ドアを閉じる際にはラッチ部の傾斜面が受座側の柱に当たって押し戻されてドアの中に没入し、受座に対向した位置で受座の中に納まり閉状態になる。ドアを開けるにはラッチに係合しているハンドルを把手して回動してラッチを受座から脱出してドアの中に納めて開状態にしている。
さらにドアを閉状態に継続保持するためにハンドルの回動を阻止するロック機構を取り付ける構成もある。さらにまたロック表示装置を備えている構成もある。上記構成のラッチ錠は室内用であり、トイレや個室部屋に使用されている。【０００３】玄関ドアに用いられるラッチ錠は、開閉状態を保持する構成は上記室内用と共通している点があるが、相違する点は別に施錠機構を備えている。施錠機構は、かんぬきがラッチとは別に設けられており、室内側にはサムターンを取り付け、室外側にはキー操作によるロック機構を取り付け、かんぬきがこれに対面する受座に突出、没入自在に構成されている。
【発明の概要】
【発明が解決しようとする課題】
【０００４】上記従来のラッチ錠において、前者の室内用のラッチ錠は、開状態にするにはハンドルを回動操作してラッチ部を受座から脱出させる構成であり、ハンドルの回動操作は幼児や小人には不向きであり、またハンドルはそれなりに大きな、かさばる形状となり、ドアの外表面に大きく出っ張りドアを開けた際に隣接の壁や調度品に接触して破損するという危惧がある。【０００５】後者の玄関用のラッチ錠はドアの開閉状態を保持するために上記同様の構成を有し、かつ施錠状態を保持するために別にかんぬきをとりつけ、サムターン、キー操作によるロック機構を取り付けており、そのために部材数が増え、構成が複雑になるなどの問題点がある。
本発明は上記従来の欠点を解消している。
【課題を解決するための手段】
【０００６】その一は「箱状の錠ケースと、該ケースの前方にとりつけられるラッチと、該ラッチの後方にとりつけられるラッチスプリングと、上記ラッチ及び該ラッチスプリングの後方にとりつけられるガイド部材と、該ガイド部材に並設してとりつけられるロックハブならびにロックスプリングを備えており、上記ラッチは前端に平面視で両面傾斜の山形状のラッチ部を、該ラッチ部の後方に棒状のかんぬき部を、該かんぬき部の後方に連係支持部を、該連係支持部の後端に当接部を形成してなり、上記ガイド部材は主板部と該主板部の前方に支持板部を折曲形成し、該支持板部に嵌合孔を形成してなり、さらに上記ラッチスプリングはラッチのかんぬき部とガイド部材の支持板部間に介在され、上記ラッチの連係支持部がガイド部材の支持板部の嵌合孔に係止するとともに、連係支持部の後端の当接部が支持板部の後面に当接状態で支持されており、よってラッチはラッチ部が錠ケースの前面から突出、没入自在に弾支されており、上記ロックハブは回動軸と、該回動軸の所定の周縁に形成される駆動係合部およびロックスプリングの係合部とを形成してなり、かつ該ロックハブはロックスプリングによって付勢されて回動するように形成されており、ロックハブの回動によって主板部の係合部に駆動係合部が係合してガイド部材を前後に移動するように構成されており、施錠状態を保持するにはロックハブの回動軸を回動することによって駆動係合部が回動して、これに係合しているガイド部材が前方に移動し、同時にラッチが前方に移動してかんぬき部が錠ケースより前方に突出して受座の中に納まるように構成されており、解錠状態を保持するにはロックハブの回動軸を逆方向に回動することによって駆動係合部が逆の方向に回動してガイド部材が後方に移動し、同時にラッチが後方に移動してかんぬき部が受座から脱出して錠ケースに納まるように構成されていることを特徴とするラッチ錠」である。【０００７】その二は「上記構成のラッチ錠において、ロックハブは回動軸の一方側にサムターンを取り付け、他方側にエマージエンシーを取り付けていることを特徴とするラッチ錠」である。【０００８】その三は「上記その一の構成において、ロックハブの回動軸の一方側にサムターンを取り付け、他方側にキー操作によるロック機構を取り付けていることを特徴とするラッチ錠」である。
【発明の効果】
【０００９】本発明はラッチに、前端に平面視で山形状のラッチ部を、該ラッチ部の後方に棒状のかんぬき部を、該かんぬき部の後方に連係支持部を、該連係支持部の後端に当接部を形成してなり、このラッチのかんぬき部とガイド部材の支持部間にラッチスプリングを介在せしめてラッチ部が錠ケースの前面から突出、没入自在にラッチを弾支しており、よってドアの開閉はドアに取り付けている固定の把手を引き寄せ、あるいは押動によって受座からの離脱あるいは受座への納まりとなる。よって把手は極めて簡単な構成でよい。【００１０】さらにまたロックハブの回動によってこれに係合しているガイド部材が前後移動し、同時にラッチが前後移動して受座の中にかんぬき部が突出、没入自在に移動する。よってドアの施錠、解錠状態を保持できる。ラッチとかんぬきは１個の部材でなり、１部材で両機能を備えているので、部材点数が減り、部材コスト安、組立てコスト安、コンパクトになる。【００１１】ロックハブの回動軸の一方側、トイレ等の室内側にサムターンをとりつけ、他方側にエマージエンシーを取り付けることによって、室内、室外からの施錠、解錠ができる。
また玄関ドアにおいては、ロックハブの回動軸の室内側にサムターンを取り付け、室外側にキー操作によるロック機構を取り付ければ室内、外からの施錠、解錠ができる。
【図面の簡単な説明】
【００１２】
【図１】本発明ラッチ錠をドアにとりつけた開閉状態、解錠状態の説明用の正面図。
【図２】図１のＸ−Ｘ断面の説明図。
【図３】図１に示すラッチ錠の施錠状態の説明用の正面図。
【図４】Ａは錠ケース（ケース本体）の略正面図、ＢはＡのＸ−Ｘ断面図、ＣはＡのＹ−Ｙ断面図。
【図５】Ａは錠ケース（蓋体）の略正面図、ＢはＡのＸ−Ｘ断面図。
【図６】Ａはラッチの略正面図、ＢはＡのＸ−Ｘ断面図、Ｃは左側面図、Ｄは右側面図。
【図７】ラッチスプリングの略正面図。
【図８】Ａはガイド部材の略正面図、Ｂは同じく平面図、Ｃは同じく左側面図、Ｄは同じく右側面図。
【図９】Ａはロックハブの略正面図、Ｂは同じく平面図、ＣはＡのＸ−Ｘ断面図。
【図１０】ロックスプリングの略正面図。
【図１１】Ａは把手付のラッチ錠の説明用の略平面図、Ｂは同じく正面図。
【発明を実施するための形態】
【００１３】本発明について実施例を図面を用いて説明する。
図１、図２において、１はラッチ錠で、ドアＡの一側面、受座１ａの対向面にとりつけられる。２は箱状の錠ケース、２ａはケース本体、２ｂは蓋体である。図１は蓋体を削除している。３は錠ケースの前方に取り付けられるラッチ、４はラッチの後方にとりつけられるラッチスプリング、５はラッチ及びラッチスプリングの後方にとりつけられるガイド部材である。６はロックハブ、７はロックスプリングで、ガイド部材に並設している。３ｇはラッチカバーで化粧用である。３ｈはラッチカバーを支着しているスプリングピンである。ラッチカバーはなくてもよい。８はフロントである。上記各部材の詳細は後述する。
【００１４】図示より明らかな通りラッチ３のラッチ部３ａが平面視で両面傾斜の山形状に形成されており、このラッチ部の後方に棒状のかんぬき部３ｂを、該かんぬき部の後方に連係支持部３ｃを、該連係支持部の後端に当接部３ｅを形成している。３ｄは環状溝で、コイル状のラッチスプリングの一端を嵌入し、支持している。３ｆは支持突起である。
ガイド部材５は主板部５ａと該主板部の前方に支持板部５ｂを折曲形成し、該支持板部に嵌合孔５ｃを形成している。５ａ１は主板部に切欠して形成している係合部である。５ｂ１は屈曲部である。
【００１５】上記ラッチスプリングはかんぬき部とガイド部材の支持板部間に介在されており、上記ラッチの連係支持部がガイド部材の支持板部の嵌合孔５ｃに係止するとともに連係支持部の後端の当接部３ｅが支持板部５ｂの後面に当接状態で支持されている。よってラッチはかんぬき部と支持板部間に介在されているラッチスプリングに付勢されており、ラッチ部が錠ケースの前面から突出、没入自在に弾支されている。
【００１６】ロックハブ６は回動軸６ａと該回動軸の所定の周縁に上記ガイド部材の主板部の係合部５ａ１に係合してガイド部材を前後に移動する駆動係合部６ｂと、ロックスプリングの係合部６ｃとを形成してなり、かつロックハブは回動軸がロックスプリングによって付勢されて回動するように形成されている。よってロックハブの前後の回動に追従してガイド部材ならびにラッチが前後にスムーズに移動する。７ａはロックスプリング受けである。
【００１７】図３はロックハブを略９０度反時計方向に回動した際のガイド部材ならびにラッチの前方への移動状態、つまり施錠状態を示す。施錠状態にするにはロックハブの回動軸を回動することによって駆動係合部が回動し、これに係合しているガイド部材が前方に移動し、同時にコイルスプリングと当接部間に介在支持されている支持板部を介して一体的に支持されているラッチが前方に移動してかんぬき部が錠ケースより前方に突出して受座１ａの中に納まるように構成されている。
【００１８】解錠状態を保持するにはロックハブの回動軸を逆方向に回動すれば駆動係合部が逆方向に回動して、ガイド部材が後方に移動し、同時にラッチが後方に移動してかんぬき部が受座から脱出して錠ケースに納まるように構成されている。
【００１９】図４から図１０は、図１から図３に示しているラッチ錠の各部材の図面である。
図４、図５において２は箱状の錠ケースで、２ａはケース本体、２ａ１は前面版、２ａ２はラッチが突、没する開口、２ａ３は後述のロックハブの回動軸がとりつけられる軸孔である。
２ａ４は蓋体取付脚の取着孔、２ａ５はロックスプリング受けの取着孔である。
２ｂは蓋体、２ｂ１はロックハブの回動軸が取り付けられる軸孔で、上記２ａ３の軸孔と対である。２ｂ２は蓋体の取着孔である。
【００２０】図６において３はラッチで、前端に平面視両面傾斜の山形状のラッチ部３ａを、該ラッチ部の後方に棒状のかんぬき部３ｂを、該かんぬき部の後方に連係支持部３ｃを、該連係支持部の後端に当接部３ｅを形成している。３ｄはラッチスプリングの一端を支持する環状溝、３ｆは支持突起、３ｉはスプリングピンの挿入孔である。
【００２１】図７において４はコイル状のラッチスプリングである。
図８において５はガイド部材で、主板部５ａと、該主板部の前方に支持板部５ｂを折曲形成している。該支持板部に嵌合孔５ｃを形成している。５ａ１は主板部に切欠して形成している係合部、５ｂ１は屈曲部である。
【００２２】図９において６はロックハブである。６ａは回動軸で、その所定の周縁に駆動係合部６ｂと、ロックスプリングの係合部６ｃを形成している。
ロックハブの回動によって駆動係合部６ｂがガイド部材の係合部５ａ１に係合して回動し、ガイド部材を前後に移動する。６ｄは駆動軸孔である。室内用のドアであれば、この軸孔の一方側にサムターン、他方側にエマージエンシーがとりつけられる。また玄関ドアであれば室内側にサムターン、室外側にたとえばシリンダ錠など、キー操作によるロック機構がとりつけられる。
【００２３】図１０において７はロックスプリングである。ロックスプリングは一端はロックハブのロックスプリングの係合部６ｃに係合しており、他端はケースに取り付けられるロックスプリング受け７ａに係合してなり、ロックハブはこのスプリングよって付勢されて回動するように形成されており、よってガイド部材の前後移動が、同時にラッチの前後移動がスムーズに、適確に行われる。
【００２４】図１１は本発明の把手付のラッチ錠を示す。９は把手で、ドアの内、外面に固定状態で取り付けられる。指が引っ掛けられる程度の大きさ、厚さがあればよく、従来のハンドル回動式の把手のように大型でなくてもよい。ラッチ部が両面傾斜の山形状であるので、ドアの開閉操作においては把手を持って引く、または押すだけで受座から脱出して錠ケース内に納まり開閉できる。
１０はサムターン、１１はエマージエンシーである。前記しているようにロックハブ６の軸孔に（軸孔に変えて軸突起でもよい）上記部材の係合部が係合しており、サムターンの回動によってロックハブが回動し、ガイド部材を介してラッチが前方に鎖線で示す位置まで移動してかんぬき部が受座１ａの中に納まり施錠状態になる。同時にエマージエンシー１１も回動し、これに一体的に係合している表示板１２も回動する。９ａは把手の表示孔で上記表示板の表示を表す。
緊急時に外側から解錠したい場合にエマージエンシーを逆方向、元の方向に回動すればロックハブ、サムターンも元の方向に回動してラッチが没入方向に移動し、かんぬき部が受座から脱出する。
【００２５】以上本発明の実施例をもって説明しているが、本発明の技術思想を逸脱しない範囲の設計変更は可能である。ロックハブへのサムターンの取り付け方、エマージエンシーの取り付け方、キー操作によるロック機構の取り付け方などは公知の構造が採択できる。
また従来ラッチ錠は、ハンドル操作によって受座からラッチを脱出しているが、本発明のラッチ錠は把手がラッチの突出、没入機構に関与せず、よって把手の取り付け位置は自在に設定できる。
【符号の説明】
【００２６】Ａ      ドア                        ５ｂ    支持板部
１      ラッチ錠                    ５ｃ    嵌合孔
１ａ    受座                        ５ａ１  係合部
２      錠ケース                    ６      ロックハブ
２ａ    ケース本体                  ６ａ    回動軸
２ｂ    蓋体                        ６ｂ    駆動係合部
３      ラッチ                      ６ｃ    係合部
３ａ    ラッチ部                    ６ｄ    駆動軸孔
３ｂ    かんぬき部                  ７      ロックスプリング
３ｃ    連係支持部                  ９      把手
３ｃ    当接部                      １０    サムターン
４      ラッチスプリング            １１    エマージエンシー
５      ガイド部材                  １２    表示板
５ａ    主板部
【図１】
2011058343.tif 000003
【図２】
2011058343.tif 000004
【図３】
2011058343.tif 000005
【図４】
2011058343.tif 000006
【図５】
2011058343.tif 000007
【図６】
2011058343.tif 000008
【図７】
2011058343.tif 000009
【図８】
2011058343.tif 000010
【図９】
2011058343.tif 000011
【図１０】
2011058343.tif 000012
【図１１】
2011058343.tif 000013